(57)【特許請求の範囲】
【請求項１】
肩の上部が密着される肩支え部、頚椎が支持される頚椎支え部、及び後頭下部と後頭部の中央が安着される後頭部支え部を備える本体と、
前記本体の一側に延在する第１羽部と、
前記本体の他側に延在する第２羽部と
を含み、底面上に配置される枕であって、
前記後頭部支え部は、前記底面と平行な平面に対して、前記本体の後方に所定の第２角度（θ２）だけ傾斜した第２傾斜面と、前記第２傾斜面の端部から前記本体の内側に向かって凹設されて後頭部の上部が非接触される凹溝部とを含み、
前記凹溝部は、ユーザが仰臥位したときに前記後頭部の上部が前記底面に接触するように構成されていることを特徴とする枕。
【請求項２】
前記肩支え部は、前記本体の後方に所定の第１角度（θ１）だけ傾斜した第１傾斜面を含むことを特徴とする、請求項１に記載の枕。
【請求項３】
前記肩支え部は、前記本体の内側に向かって湾曲した一対の湾曲部を含むことを特徴とする、請求項２に記載の枕。
【請求項４】
前記頚椎支え部は、前記本体の上方に膨らむ丸い形状の突出端を含むことを特徴とする、請求項１に記載の枕。
【請求項５】
前記第２傾斜面は、前記本体の後方に行くほど前記本体の高さが次第に低くなるように前記底面に対して斜めに形成されることを特徴とする、請求項１に記載の枕。
【請求項６】
前記後頭部支え部には、前記本体の内側下方に凹んで後頭下部および後頭部の中央が包まれる安着溝が形成されることを特徴とする、請求項１に記載の枕。
【請求項７】
前記第１羽部と前記第２羽部は、前記本体の上端水平面を基準としたとき、その高さがより高いことを特徴とする、請求項１に記載の枕。
【請求項８】
前記第１羽部と前記第２羽部は、前記本体の上端水平面を基準としたとき、その高さがより低いことを特徴とする、請求項１に記載の枕。
【発明の詳細な説明】
【技術分野】
【０００１】
本発明は安らかな睡眠がとれる機能性枕に関する。
【背景技術】
【０００２】
一般的に枕は睡眠時に頭を保護するとともに安楽さを与えるために、その内部に綿やその他化学繊維などからなるクッションなどを充填して快眠がとれるようにする。
【０００３】
近年発表される睡眠医学報告書によると、十分な睡眠が成長発達と学習能力を向上させるという研究結果が発表されたことがあり、睡眠中にも脳は絶え間ない活動を通じて情報を得てこれを保存する役割をしていることが報告された。
【０００４】
成長期にある児童及び青少年にとって睡眠は非常に重要視されているが、最近早教育のような過多な学習によるストレスなどで十分な睡眠がとれておらず、複雑な都会生活によって大人にも寝不足現象が現われて兔疫性を弱化させて各種疾病発生の原因となる。
【０００５】
脊椎の中で首の部位に位置する頚椎は、前面に向かってＣ字形に曲がっている。仰向け寝の時、枕がなければ、頚椎が下方への荷重を受ける。これを支えるために首筋と肩筋が硬直し、該筋肉が長期間過度に硬直してしまうと筋肉のコリや筋肉痛が誘発される。このような問題を解消するために睡眠時に頭を支える枕の役目は重要である。
【０００６】
近頃、頚椎の形態と係わって枕の高さを考慮した枕が開発されたが、ただ頚椎のカーブの形状に似た曲線型枕に過ぎない実情である。
【発明の概要】
【発明が解決しようとする課題】
【０００７】
本発明は上記問題点を解決するために案出されたもので、仰臥位および側臥位の際に、頭と肩を楽に支えることができる機能性枕を提供することにその目的がある。
【課題を解決するための手段】
【０００８】
前記目的を達成するために、本発明の一態様による枕は、肩支え部、頚椎支え部、及び後頭部支え部を備える本体と、本体の一方側に延在する第１羽部と、本体の他方側に延在する第２羽部と、を含み、後頭部支え部は、本体の後方に向かって下方に所定角度だけ傾斜した第２傾斜面と、第２傾斜面の端部において、本体の内側に向かって凹設されて後頭部の上部を底面に当接させることができる凹溝部とを含むことを特徴とする。
【０００９】
本発明の一態様による枕において、肩支え部は、本体の後方に向かって所定角度だけ傾斜した第１傾斜面を含むことを特徴とする。
【００１０】
本発明の一態様による枕において、肩支え部は、第１傾斜面の両側において、本体の内側に向かって凹設された一対の湾曲部を含むことを特徴とする。
【００１１】
本発明の一態様による枕において、頚椎支え部は、本体の上方に膨らむ丸い形状の突出端を含むことを特徴とする。
【００１２】
本発明の一態様による枕において、第２傾斜面は、本体の後方に行くほど本体の高さが次第に低くなるように底面に対して斜めに形成されることを特徴とする。
【００１３】
本発明の一態様による枕において、後頭部支え部には、本体の内側下方に凹んで後頭部の下部と後頭部の中央とが包まれる安着溝が形成されることを特徴とする。
【００１４】
本発明の一態様による枕において、第１羽部および第２羽部は、本体の上端水平面を基準としたとき、その高さがより高いことを特徴とする。
【００１５】
本発明の一態様による枕において、第１羽部と第２羽部は、本体の上端水平面を基準としたとき、その高さがより低いことを特徴とする。
【発明の効果】
【００１６】
前述のように、本発明による枕によれば、仰臥位時、気道が最大限開放されていびきを防止するとともに抗重力の効果によって鼻呼吸が可能になり、さらに、頭の荷重を底の全体へ分散させるので頭の自重による頚椎と肩に加わる負担を軽減できる。
【００１７】
また、側臥位時にユーザの体型に合わせて頚椎と脊椎とが一直線になるようにするため、これにより睡眠時如何なる姿勢でもユーザに安眠をもたらすことができる。
【図面の簡単な説明】
【００１８】
【図１】本発明の一実施の形態による枕を示す斜視図である。
【図２】図１の背面を示す斜視図である。
【図３】図１の側面図である。
【図４】図３の枕にユーザが仰臥位した状態を示す図である。
【図５】図１のＡ―Ａ線に沿う断面図であって、羽部の様々な形態を示す図である。
【図６】図１のＡ―Ａ線に沿う断面図であって、羽部の様々な形態を示す図である。
【図７】図１のＡ―Ａ線に沿う断面図であって、羽部の様々な形態を示す図である。
【図８】図１のＡ―Ａ線に沿う断面図であって、羽部の様々な形態を示す図である。
【図９】図３の枕にユーザが側臥位した状態を示す図である。
【発明を実施するための形態】
【００１９】
以下、本発明の実施例を添付の図面を参照して詳細に説明する。
【００２０】
説明に先立って、本願明細書及び特許請求の範囲に使われた用語や単語は、通常的または辞書的な意味に限定して解されてはならなく、発明者は自分の発明を最も最善の方法で説明するために用語の概念を適切に定義することができるという原則に即して本発明の技術的思想に符合する意味と概念に解されなければならない。
【００２１】
したがって、本願明細書に記載された実施例及び図面に示された構成は、本発明の最も望ましい一実施の形態に過ぎず、本発明の技術的思想をすべて代弁するわけではないので、本願出願当時においてこれらは代替できる多様な均等物と変更例があり得ることは勿論のことである。
【００２２】
図１は本発明の一実施の形態による枕を示す斜視図であり、図２は図１の背面を示す斜視図であり、図３は図１の側面図、図４は図３の枕にユーザが仰臥位した状態を示す図である。また、図５〜図８は、図１のＡ−Ａ線に沿う断面図であって、羽部の様々な形態を示す図であり、図９は、図３の枕にユーザが側臥位した状態を示す図である。
【００２３】
図１及び図２を参照すると、本発明の一実施の形態による枕は、本体１００と、第１羽部２００と、第２羽部３００とを含む。
【００２４】
まず、本発明の枕は、ポリウレタン、天然ラテックス及びメモリーフォームのいずれか一つの材質からなることが好ましく、これらに限定されない。これらの軟質の材質は、ユーザに安楽なクッション感を提供し、復元力に優れるため、睡眠中ユーザが寝返りをしても変形が非常に少ないという長所がある。
【００２５】
本体１００は、図３に示しているように、肩支え部１１０と、頚椎支え部１２０と、後頭部支え部１３０とを備えている。
【００２６】
肩支え部１１０は、本体１００の前端一側に設けられ、ユーザが仰臥位または側臥位したとき、ユーザの肩の上部が密着するように底面を基準としたときに垂直状もしくは斜め状に形成される。
【００２７】
この時、肩支え部１１０は、図４に示されているように、本体１００の後方に向かって所定の第１角度θ１だけ傾斜した第１傾斜面１１１を含むことができる。これはユーザが側臥位したとき、ユーザの肩の上方下面が肩支え部１１０の第１傾斜面１１１に密着しながら第１傾斜面１１１によって肩を下方から支えることができるので、肩に加わる頭圧が分散するというメリットがある。ここで、第１角度θ１とは、底面と平行な一面となす角度をいう。
【００２８】
また、肩支え部１１０は、本体１００の内側に向かって凹んで湾曲した一対の湾曲部１１２を含むことができる。湾曲部１１２は、ユーザが仰臥位または側臥位した時に肩の上端を包むために肩の上端軌跡に沿って設けられる。これにより、どの姿勢で睡眠を取っても本体１００がユーザに最大限密着して楽な姿勢で睡眠を取れるようになる。
【００２９】
頚椎支え部１２０は、頚椎のＣ字状のカーブに沿って第１番目から第７番目までの頚椎を支持する。
この時、頚椎支え部１２０は、本体１００の上方に膨らむ丸い形状の突出端１２１を含む。突出端１２１によって人工呼吸時に気道確保のために頚椎を後ろに最大限反らすことと同様な効果が得られる。すなわち、突出端１２１によって頚椎が支えられれば、頚椎が後ろに最大限反らされて気道が最大限開放され、これによって呼吸が円滑になり、いびきを予防することができるとともに抗重力の効果で自然に口が閉じられて鼻呼吸が誘導される。なお、抗重力の効果により、顔の皮膚のたるみに起因する顔のしわ及び首のしわを予防することができる。
【００３０】
後頭部支え部１３０は、第１番目の頚椎の上部に位置した後頭下部と、該後頭下部から上部に延在する後頭部の中央が安着される。
この時、後頭部支え部１３０は、図４に示されているように、本体１００の後方に向かって下方に所定の第２角度θ２だけ傾斜した第２傾斜面１３１が設けられる。第２傾斜面１３１は、本体１００の後方に行くほど高さが次第に低くなるように底面を基準として斜め状に形成される。ここで、第２角度θ２とは、底面と平行な一面となす角度をいう。第２傾斜面１３１によって突出端１２１に支持される頚椎を基準として頭が後ろに反らされて前述のような抗重力の効果が得られる。
【００３１】
また、後頭部支え部１３０は、本体１００の内側下方に凹んで後頭下部及び後頭部の中央が包まれる安着溝１３２を含むことができる。安着溝１３２にユーザの後頭部が密着しながら後頭部を安定に包むことができるため、安定した姿勢で安眠を誘導することができる。
【００３２】
一方、後頭部支え部１３０は、本体１００の後端に設けられ、本体１００の内側に向かって凹んでおり、後頭上部に当接しない凹溝部１３３を含むことができる。凹溝部１３３は本体１００の後端に凹んだ半円状に設けられる。すなわち、図４に示したように、ユーザが仰臥位したときに後頭部の上部を底面に当接させるための構造である。すなわち、後頭部の上部を底のマットレスやその他の床材に当接させることで、頭圧を底に均一に分散させて頚椎と肩に加わる頭圧を軽減できる。
【００３３】
このように、肩支え部１１０がユーザの肩に密着して肩が安定に支持され、頚椎支え部１２０によって第１番目の頚椎から第７番目の頚椎までのＣ字型のカーブに沿って頚椎が支持され、後頭部支え部１３０に後頭下部及び後頭部の中央が安着されることにより、頭圧及び体圧が適切に分離されるとともに、頚椎および肩に加わる頭圧が効率よく分散するわけである。
【００３４】
一方、第１羽部２００は、本体１００の一側に具備されて本体１００を基準として外側に長く延在する形態で構成される。第２羽部３００は、本体１００の他側に具備されて本体１００を基準として外側に長く延在する形態で構成される。この時、第１羽部２００と第２羽部３００は、本体１００の上端水平面を基準としたとき、その高さが本体１００よりも高いとか低い。
【００３５】
ここで、第１羽部２００と第２羽部３００は、本体１００を基準としたとき、直角に段差が付けてあるか、その高さが次第に高くなるか、低くなるように傾斜しながら本体１００から延在することができる。これは、人ごとに背、肩の高さ、肩幅及び頚椎の高さが違うからである。
【００３６】
肩幅が広いユーザは、側臥位時、肩の高さのため脊椎と頚椎とが一直線にならなく、頚椎が下方に曲がるという問題が生じる。これを解決するためには、図５及び図６に示したように、第１羽部２００および第２羽部３００を本体１００の高さよりも高く形成することで脊椎と頚椎とが一直線になるようにしてユーザの頭を支持すればよい。この時、ユーザの脊椎と頚椎とは一直線になるが、ユーザの頭は後頭部支え部１３０の第２傾斜面１３１に沿って自然に下方にやや傾斜する。
【００３７】
これと逆に、肩幅が狭いユーザは、側臥位時、肩の高さのため脊椎と頚椎とが一直線にならなく、頚椎が上方に曲がるという問題が生じる。これを解決するためには、図７及び図８に示したように、第１羽部２００および第２羽部３００を本体１００の高さよりも低く形成することで脊椎と頚椎とが一直線になるようにユーザの頭を支持すればよい。この時、ユーザの脊椎と頚椎とは図９のように一直線になるが、ユーザの頭は後頭部支え部１３０の第２傾斜面１３１に沿って自然に下方にやや傾斜する。
【００３８】
前述のような本発明の枕によれば、仰臥位の際に気道が最大限開放されていびきを防止することができるとともに抗重力の効果によって鼻呼吸が可能になり、さらに、頭の荷重を床の全体に分散させるので、頭の自重による頚椎と肩に加わる負担を軽減できる。
【００３９】
また、側臥位の際に、ユーザの体型に合わせて頚椎と脊椎とが一直線になるようにするので、睡眠時に如何なる姿勢でもユーザに楽な熟眠を提供することができる。
【００４０】
以上述べたように、本発明はたとえ限定された実施例および図面によって説明されたがそれに限定されることなく、発明の属する技術分野における通常の知識を持つ者によって本発明の技術思想並びに後述する請求範囲の均等範囲内で多様な修正及び変形が可能であることは勿論である。
【符号の説明】
【００４１】
１００  本体
１１０  肩支え部
１１１  第１傾斜面
１１２  湾曲部
１２０  頚椎支え部
１２１  突出端
１３０  後頭部支え部
１３１  第２傾斜面
１３２  安着溝
１３３  凹溝部
２００  第１羽部
３００  第２羽部
【図１】
0006855670.tif 000002
【図２】
0006855670.tif 000003
【図３】
0006855670.tif 000004
【図４】
0006855670.tif 000005
【図５】
0006855670.tif 000006
【図６】
0006855670.tif 000007
【図７】
0006855670.tif 000008
【図８】
0006855670.tif 000009
【図９】
0006855670.tif 000010